(57)【要約】      （修正有）【課題】フレキシブルディスプレイ装置を提供する。【解決手段】フレキシブルディスプレイ装置は、ディスプレイパネル、カバー基板１９０、第１流体受容部１３０及び第１流体１３８を含む。ディスプレイパネルは第１領域及び第１領域の少なくとも一つ以上の側面を取り囲む第２領域を含む。カバー基板１９０はディスプレイパネル上に配置されている。第１流体受容部１３０はディスプレイパネルとカバー基板１９０との間に配置されて、第１領域と重なって配置されて、空いている空間を有する。第１流体１３８は第１流体受容部内１３０に配置されてもよい。【選択図】図２
2015148799.tif 000002
【特許請求の範囲】
【請求項１】
第１領域及び前記第１領域の少なくとも一つ以上の側面を取り囲む第２領域を含むディスプレイパネルと、
前記ディスプレイパネル上に配置されたカバー基板と、
前記ディスプレイパネルと前記カバー基板との間で、前記第１領域と重なって配置されて、空いている空間を有する第１流体受容部と、
前記第１流体受容部内に配置された第１流体を含むフレキシブルディスプレイ装置。
【請求項２】
空いている空間を有する第２流体受容部と、
前記第１流体受容部及び前記第２流体受容部と連通されるように配置されたポンプをさらに含むことを特徴とする請求項１に記載のフレキシブルディスプレイ装置。
【請求項３】
前記ポンプは、前記第１流体受容部及び前記第２流体受容部の間で前記第１流体の移動を制御できることを特徴とする請求項２に記載のフレキシブルディスプレイ装置。
【請求項４】
前記ポンプは、前記フレキシブルディスプレイ装置が繰り広げられるとき、前記第１流体を前記第１流体受容部に移動させてもよく、
前記ポンプは、前記フレキシブルディスプレイ装置が折りたたまれるとき、前記第１流体を前記第２流体受容部に移動させることができることを特徴とする請求項２に記載のフレキシブルディスプレイ装置。
【請求項５】
前記ポンプは前記第１流体受容部内の前記第１流体の圧力を調節できることを特徴とする請求項２に記載のフレキシブルディスプレイ装置。
【請求項６】
前記第２流体受容部は前記ディスプレイパネルの前記第２領域に重なることを特徴とする請求項２に記載のフレキシブルディスプレイ装置。
【請求項７】
前記第１流体は、印加される電場又は磁場によって粘性が変化されるか、固体状態又は液体状態に変化されうる機能性流体であるか、前記第１流体は、磁性流体、磁気流動流体、又は電気流動流体を含むことを特徴とする請求項１に記載のフレキシブルディスプレイ装置。
【請求項８】
前記フレキシブルディスプレイ装置が繰り広げられるとき、前記第１流体は固体状態又は第１粘度を有する液体状態を維持しており、
前記フレキシブルディスプレイ装置が折りたたまれるとき、前記第１流体は前記第１粘度より低い第２粘度を有する液体状態を維持していることを特徴とする請求項７に記載のフレキシブルディスプレイ装置。
【請求項９】
前記第１流体受容部と前記ディスプレイパネルとの間、又は前記第１流体受容部と前記カバー基板との間に配置された電極をさらに含み、
前記電極は前記フレキシブルディスプレイ装置の作動状態によって、前記第１流体に電場又は磁場を印加できることを特徴とする請求項７に記載のフレキシブルディスプレイ装置。
【請求項１０】
前記ディスプレイパネルと前記第１流体受容部との間に配置されたタッチパネルをさらに含み、前記タッチパネルは複数の感知電極を含み、
前記感知電極は前記フレキシブルディスプレイ装置の作動状態によって、前記第１流体に電場又は磁場を印加できることを特徴とする請求項７に記載のフレキシブルディスプレイ装置。
【発明の詳細な説明】
【技術分野】
【０００１】
本発明は、フレキシブルディスプレイ装置に関する。より詳細には、本発明は機械的耐久性が向上されたフレキシブルディスプレイ装置に関する。
【背景技術】
【０００２】
電子技術の発達によって多様な類型のディスプレイ装置が開発されている。特に、ＴＶ、ＰＣ、ラップトップコンピュータ、タブレットＰＣ、携帯電話、ＭＰ３プレーヤーなどのようなディスプレイ装置は多くの家庭で使われている。最近では使用者のニーズ（ｎｅｅｄｓ）に沿うために、フレキシブルディスプレイ装置が研究されている。フレキシブルディスプレイ装置は使用者が力を加えて形状を変形させることができるため、多様な用途で使われることができる。
【０００３】
このような柔軟性を有するフレキシブルディスプレイ装置は機械的な耐久性が不足している場合があり、使用者の力によって容易に破損する恐れがある。また、機械的な耐久性を補完するために剛性の高い材料を用いる場合、フレキシブルディスプレイ装置の柔軟性が制限される。したがって、フレキシブルディスプレイ装置の柔軟性を維持するとともに機械的な耐久性を向上させる必要がある。
【先行技術文献】
【特許文献】
【０００４】
【特許文献１】韓国登録特許第０８２２１８６号公報
【特許文献２】韓国登録特許第１０９７８２６号公報
【特許文献３】米国特許出願公開第２０１１−２０１０１９３７号明細書
【発明の概要】
【発明が解決しようとする課題】
【０００５】
本発明の一目的は柔軟性及び機械的耐久性を有するフレキシブルディスプレイ装置を提供することにある。
【０００６】
ただし、本発明が解決したい課題は上述した課題に限定されるのではなく、本発明の思想及び領域から逸脱しない範囲で多様に拡張されるはずである。
【課題を解決するための手段】
【０００７】
本発明の一目的を達成するために、本発明の実施形態に係るフレキシブルディスプレイ装置は、ディスプレイパネル、カバー基板、第１流体受容部及び第１流体を含む。前記ディスプレイパネルは第１領域及び前記第１領域の少なくとも一つ以上の側面を取り囲む第２領域を含む。前記カバー基板は、前記ディスプレイパネル上に配置されている。前記第１流体受容部は前記ディスプレイパネルと前記カバー基板との間に配置されて、前記第１領域と重なって配置されて、空いている空間を有する。前記第１流体は前記第１流体受容部内に配置されてもよい。
【０００８】
例示的な実施形態において、前記フレキシブルディスプレイ装置は空いている空間を有する第２流体受容部、そして前記第１流体受容部及び前記第２流体受容部と連通するように配置されたポンプをさらに含んでもよい。
【０００９】
例示的な実施形態において、前記ポンプは、前記第１流体受容部及び前記第２流体受容部の間で前記第１流体の移動を制御してもよい。
【００１０】
例示的な実施形態において、前記ポンプは、前記フレキシブルディスプレイ装置が繰り広げられるとき、前記第１流体を前記第１流体受容部に移動させてもよく、前記ポンプは前記フレキシブルディスプレイ装置が折りたたまれる時、前記第１流体を前記第２流体受容部に移動させてもよい。
【００１１】
例示的な実施形態において、前記ポンプは、前記第１流体受容部内の前記第１流体の圧力を調節してもよい。
【００１２】
例示的な実施形態において、前記第２流体受容部は、前記ディスプレイパネルの前記第２領域に重なってもよい。
【００１３】
例示的な実施形態において、前記ポンプは複数個に配置されてもよい。
【００１４】
例示的な実施形態において、前記第１流体は１.４５乃至１.５５の間の誘電率を有してもよい。
【００１５】
例示的な実施形態において、前記第１流体は印加される電場又は磁場によって粘性が変化されるか、固体状態又は液体状態に変化しうる、機能性流体（ｓｍａｒｔ  ｆｌｕｉｄ）であってもよい。
【００１６】
例示的な実施形態において、前記第１流体は磁性流体（ｍａｇｎｅｔｉｃ  ｆｌｕｉｄ）、磁気流動流体（Ｍａｇｎｅｔｏ−ｒｈｅｏｌｏｇｉｃａｌ  ｆｌｕｉｄ；ＭＲ  ｆｌｕｉｄ）又は、電気流動流体（Ｅｌｅｃｔｒｏ−ｒｈｅｏｌｏｇｉｃａｌ  ｆｌｕｉｄ；ＥＲ  ｆｌｕｉｄ）を含んでもよい。
【００１７】
例示的な実施形態において、前記フレキシブルディスプレイ装置が繰り広げられるとき、前記第１流体は、固体状態又は第１粘度を有する液体状態を維持してもよい。前記フレキシブルディスプレイ装置が折りたたまれるとき、前記第１流体は、前記第１粘度より低い第２粘度を有する液体状態を維持してもよい。
【００１８】
例示的な実施形態において、前記第１流体受容部と前記ディスプレイパネルとの間、又は前記第１流体受容部と前記カバー基板との間に配置された電極をさらに含み、前記電極は前記フレキシブルディスプレイ装置の作動状態によって、前記第１流体に電場又は磁場を印加してもよい。
【００１９】
例示的な実施形態において、前記ディスプレイパネルと前記第１流体受容部との間に配置されて、複数の感知電極を含むタッチパネルをさらに含んでもよい。
【００２０】
例示的な実施形態において、前記感知電極は、前記フレキシブルディスプレイ装置の作動状態によって、前記第１流体に電場又は磁場を印加してもよい。
【００２１】
例示的な実施形態において、前記第１流体受容部と前記カバー基板との間に配置されたタッチパネル、前記タッチパネルと前記カバー基板との間で、前記第１領域と重なって配置されて、空いている空間を有する第３流体受容部、及び前記第３流体受容部内に配置された第２流体をさらに含んでもよい。
【００２２】
例示的な実施形態において、前記フレキシブルディスプレイ装置は一方向に延びた少なくとも一つ以上のフォールディング軸（ｆｏｌｄｉｎｇ  ａｘｉｓ）を含み、前記第１流体受容部は前記フォールディング軸と重なって配置されてもよい。
【００２３】
例示的な実施形態において、前記第１領域は前記フォールディング軸に隣接して配置された第３領域及び前記フォールディング軸に離隔されて配置された第４領域に区分されてもよく、前記第１流体受容部は前記第３領域と重なるが、前記第４領域と重ならないことがある。
【００２４】
例示的な実施形態において、空いている空間を有する第２流体受容部、並びに前記第１流体受容部及び前記第２流体受容部と連通すように配置されたポンプをさらに含み、前記第２流体受容部は前記第４領域と重なるが、前記第３領域と重ならないことがある。
【００２５】
例示的な実施形態において、前記フレキシブルディスプレイ装置は一方向に延びた少なくとも一つ以上のフォールディング軸（ｆｏｌｄｉｎｇ  ａｘｉｓ）を含み、前記第１流体受容部は前記一方向に延びたスリット状を有してもよい。
【００２６】
例示的な実施形態において、前記ディスプレイパネルと前記カバー基板との間に配置されて、前記第１流体受容部を全体的に取り囲む接着層をさらに含んでもよい。
【発明の効果】
【００２７】
本発明の実施形態に係るフレキシブルディスプレイ装置は、ディスプレイパネル、カバー基板、及びそれらの間に配置されて、流体を含む第１流体受容部を備えている。前記流体は第２流体受容部に移動したり、電場又は磁場によって粘度が変わったり、液体又は固体に変化してもよい。それによって、前記フレキシブルディスプレイが折りたたまれるとき、前記ディスプレイパネル又はカバー基板に加えられる応力を緩和させることができる。
【００２８】
ただし、本発明の効果はこれに限定されるのではなくて、本発明の思想及び領域から逸脱しない範囲で多様に拡張されるはずである。
【図面の簡単な説明】
【００２９】
【図１】本発明の例示的な実施形態に係るフレキシブルディスプレイ装置を示す平面図である。
【図２】本発明の例示的な実施形態に係るフレキシブルディスプレイ装置を示すために図１のＩＩＩ−ＩＩＩ’線に沿った斜視図である。
【図３】本発明の例示的な実施形態に係るフレキシブルディスプレイ装置の動作方法を説明するための断面図である。
【図４】本発明の例示的な実施形態に係るフレキシブルディスプレイ装置の動作方法を説明するための断面図である。
【図５】本発明の他の例示的な実施形態に係るフレキシブルディスプレイ装置を示す平面図である。
【図６】本発明の例示的な実施形態に係るフレキシブルディスプレイ装置を示すために図５のＩＩＩ−ＩＩＩ’線に沿った断面図である。
【図７】本発明のまた他の例示的な実施形態に係るフレキシブルディスプレイ装置を示す断面図である。
【図８】本発明の他の例示的な実施形態に係るフレキシブルディスプレイ装置を示す平面図である。
【図９】本発明の例示的な実施形態に係るフレキシブルディスプレイ装置を示すために図８のＩＩＩ−ＩＩＩ’線に沿った断面図である。
【図１０】本発明の他の例示的な実施形態に係るフレキシブルディスプレイ装置を示す平面図である。
【図１１】本発明の他の例示的な実施形態に係るフレキシブルディスプレイ装置を示す平面図である。
【図１２】本発明の他の例示的な実施形態に係るフレキシブルディスプレイ装置を示す平面図である。
【図１３】本発明の例示的な実施形態に係るフレキシブルディスプレイ装置を示すために図１２のＩＩＩ−ＩＩＩ’線に沿った断面図である。
【図１４】本発明の他の例示的な実施形態に係るフレキシブルディスプレイ装置を示す断面図である。
【図１５】本発明の他の例示的な実施形態に係るフレキシブルディスプレイ装置を示す断面図である。
【図１６】本発明の他の例示的な実施形態に係るフレキシブルディスプレイ装置を示す平面図である。
【図１７】本発明の他の例示的な実施形態に係るフレキシブルディスプレイ装置を示す平面図である。
【発明を実施するための形態】
【００３０】
本文に開示されている本発明の実施形態に対して、特定の構造的乃至機能的説明は、単に本発明の実施形態を説明するための目的で例示されたものであり、本発明の実施形態は多様な形態で実施することができ、本文に説明された実施形態に限定されるものではない。
【００３１】
本発明は多様な変更を加えることができ、種々の形態を有してもよいが、特定の実施形態を図面に例示して本文に詳細に説明した。しかしながら、これは本発明を特定の開示形態に限定するのではなく、本発明の思想及び技術範囲に含まれるすべての変更、均等物乃至代替物を含むと理解すべきである。
【００３２】
第１、第２等の用語は多様な構成要素を説明するのに使用されているが、前記構成要素は前記用語によって限定されるものではない。前記用語は一つの構成要素を他の構成要素から区別する目的で用いられ、例えば、本発明の権利範囲から逸脱しなければ第１構成要素は第２構成要素と命名されることができ、同様に第２構成要素を第１構成要素と命名してもよい。
【００３３】
ある構成要素が他の構成要素に「連結されて」いる、または「接続されて」いると言及されている場合には、その他の構成要素に直接的に連結されているか、または接続されていることもできるが、中間に他の構成要素が存在する場合も含む。反面、ある構成要素が他の構成要素に「直接連結されて」いる、または「直接接続されて」いると言及された場合には、中間に他の構成要素が存在しないことと理解されるべきである。構成要素の間の関係を説明する他の表現、すなわち「〜間に」と「直接〜間に」とまたは「〜に隣接する」と「〜に直接隣接する」等も同じように解釈されなければならない。
【００３４】
本出願で使用した用語は、単に特定の実施形態を説明するために使用したものであり、本発明を限定する意図ではない。単数の表現は文脈上明白に異なるように意味しない限り、複数の表現を含む。本出願において、「含む」又は「有する」等の用語は説示された特徴、数字、段階、動作、構成要素、部品、又はこれらを組み合わせたものが存在することを指定しようとするものであって、一つ又は、それ以上の他の特徴や数字、段階、動作、構成要素、部分品、又はこれらを組み合わせたものなどの存在又は、付加の可能性を予め排除するものではない。
【００３５】
異なるように定義されない限り、技術的や科学的な用語を含んでここで使われるすべての用語は本発明が属する技術分野で通常の知識を持った者によって一般的に理解されるものと同じ意味である。一般的に使われる、事前に定義されているような用語は関連技術の文脈上で有する意味と一致する意味を有すると理解すべきであり、本出願において明白に定義しない限り、理想的あるいは形式的な意味と解釈してはならない。
【００３６】
以下、添付した図面を参照して、本発明の望ましい実施形態を詳細に説明する。図面上の同一構成要素については同一参照符号を使用し、同一構成要素についての重複した説明は省略する。
【００３７】
本出願で用いた配線とは両方の端部が導電性構造と直接的に接触して、これと接触する前記導電性構造との間に電気的信号を伝達できる導電性パターンを意味する。
【００３８】
図１は本発明の例示的な実施形態に係るフレキシブルディスプレイ装置を示す平面図であり、図２は本発明の例示的な実施形態に係るフレキシブルディスプレイ装置を示すために図１のＩＩＩ−ＩＩＩ’線に沿った斜視図である。
【００３９】
図１及び図２を参照すると、例示的な実施形態に係るフレキシブルディスプレイ装置はディスプレイパネル１１０、カバー基板１９０、第１接着層１２０、第１流体受容部１３０、第１流体１３８、第１ポンプ１４０、第２流体受容部１５０及び本体１０５を含んでもよい。
【００４０】
ディスプレイパネル１１０は一定の柔軟性を有するフレキシブル平板ディスプレイパネルであってもよい。例示的な実施形態において、ディスプレイパネル１１０は液晶ディスプレイ（ＬＣＤ）パネル、プラズマディスプレイパネル（ＰＤＰ）、有機電界発光ディスプレイ（ＯＬＥＤ）パネル、電界放出ディスプレイ（ＦＥＤ）パネル、電気泳動ディスプレイ（ｅｌｅｃｔｒｏｐｈｏｒｅｔｉｃ  ｄｉｓｐｌａｙ）パネル、発光ダイオード（ＬＥＤ）等を含んでもよい。また、ディスプレイパネル１１０は図１及び図２において、表面発光構造を有することで図示されたが、本発明はそれによって制限されない。例えば、ディスプレイパネル１１０は下面発光構造又は、両面発光構造を有してもよい。
【００４１】
ディスプレイパネル１１０は使用者が加える力によって形態が変形されたり折りたたまれたりすることができる。例示的な実施形態において、ディスプレイパネル１１０は図１及び図２に図示されたフォールディング軸（ｆｏｌｄｉｎｇ  ａｘｉｓ）ＩＶ−ＩＶ’を中心に折りたたんでもよい。それとは異なり、ディスプレイパネル１１０は他の方向に延びた複数のフォールディング軸を含んでもよい。
【００４２】
ディスプレイパネル１１０は第１領域（Ｉ）と、第１領域（Ｉ）の側面を取り囲む第２領域（ＩＩ）に区分されてもよい。第１領域（Ｉ）はディスプレイパネル１１０の表示素子が配置される表示領域であってもよく、第２領域（ＩＩ）は前記表示素子に接続された配線及び駆動回路が配置される周辺領域であってもよい。例示的な実施形態において、第２領域（ＩＩ）は図１で図示されたように第１領域（Ｉ）の４個の側面を全部取り囲んでもよい。
【００４３】
例示的な一実施形態において、図１及び図２では図示されなかったが、ディスプレイパネル１１０は上部又は、内部に配置された偏光フィルム及び／又は、タッチパネルを含んでもよい。すなわち、ディスプレイパネル１１０はインセル（ｉｎ−ｃｅｌｌ）又は、オンセル（ｏｎ−ｃｅｌｌ）構造を有してもよい。
【００４４】
カバー基板１９０はディスプレイパネル１１０上に配置されて、ディスプレイパネル１１０の発光面を覆ってもよい。例えば、カバー基板１９０は透明高分子物質を含んでもよく、予め決められた柔軟性を有してもよい。カバー基板１９０は前記ディスプレイ装置及びディスプレイパネル１１０を外部の衝撃から保護する役割を行うことができる。また、カバー基板１９０は第１厚さ（Ｔ１）を有してもよい。
【００４５】
第１接着層１２０はディスプレイパネル１１０とカバー基板１９０との間に配置される。第１接着層１２０はディスプレイパネル１１０とカバー基板１９０とを固定する役割を行ってもよい。例えば、第１接着層１２０はゴム系接着剤、アクリル系接着剤、ビニールエーテル系接着剤、シリコン系接着剤、ウレタン系接着剤などのような減圧性接着剤（ＰＳＡ）等からなってもよい。
【００４６】
一方、第１接着層１２０内の空いている空間を第１流体受容部１３０と定義することができる。すなわち、第１接着層１２０は第１流体受容部１３０を全体的に取り囲んでもよい。図１及び図２では図示されなかったが、第１流体受容部１３０の形状を維持するために追加的な部材が第１流体受容部１３０の空いている空間と第１接着層１２０との間に配置されてもよい。
【００４７】
第１流体受容部１３０はディスプレイパネル１１０とカバー基板１９０との間に配置されてもよい。例示的な実施形態において、第１流体受容部１３０は図１に図示されたように、ディスプレイパネル１１０の第１領域（Ｉ）と全体的に重なってもよい。従って、第１流体受容部１３０はフォールディング軸ＩＶ−ＩＶ’と重なるように配置されてもよい。
【００４８】
例示的な実施形態において、第１流体受容部１３０は第２厚さ（Ｔ２）を有してもよい。このとき、第２厚さ（Ｔ２）はカバー基板１９０の第１厚さ（Ｔ１）より小さくてもよく、ディスプレイパネル１１０の厚さより小さくてもよい。
【００４９】
第２流体受容部１５０は第１流体受容部１３０と別に配置されてもよい。第２流体受容部１５０も空いている空間を有してもよく、必要に応じて流体を受容してもよい。例示的な実施形態において、第２流体受容部１５０はディスプレイパネル１１０の第２領域（ＩＩ）に配置されてもよく、フォールディング軸ＩＶ−ＩＶ’と重ならないように配置されてもよい。
【００５０】
第１ポンプ１４０はディスプレイパネル１１０とカバー基板１９０との間でディスプレイパネル１１０の第２領域（ＩＩ）に配置されてもよい。例示的な実施形態において、第１ポンプ１４０はＴｈｉｎＸＸＳ  Ｍｉｃｒｏｔｅｃｈｎｏｌｏｇｙ社又はＢａｒｔｅｌｓ  Ｍｉｋｒｏｔｅｃｈｎｉｋ社の商用マイクロポンプであってもよい。ただし、第１ポンプ１４０はそれらによって制限されておらず、流体を移動させうる他のすべての構造体であってもよい。
【００５１】
第１ポンプ１４０は第１流体受容部１３０及び第２流体受容部１５０の間に配置されてもよい。すなわち、第１ポンプ１４０の一側端部は第１流体受容部１３０と連通されてもよく、第１ポンプ１４０の他の一側端部は第２流体受容部１５０と連通されてもよい。例示的な実施形態において、第１ポンプ１４０は電気的信号又は、機械的信号によって第１流体１３８の移動を制御してもよい。すなわち、第１ポンプ１４０は第１流体受容部１３０と第２流体受容部１５０との間で第１流体１３８の移動を制御してもよい。
【００５２】
第１流体１３８は前記ディスプレイ装置の動作によって第１流体受容部１３０又は、第２流体受容部１５０内に配置されてもよい。第１流体１３８の機能は下記において図３及び図４を参照して説明する。第１流体１３８は液体、気体又は、粘性を有するゲル（ｇｅｌ）又は、エアロゲル（ａｅｒｏｇｅｌ）であってもよい。第１流体１３８はディスプレイパネル１１０、カバー基板１９０及び第１接着層１２０の誘電率を考慮して決定されてもよい。例示的な実施形態において、第１流体１３８は約１.４５乃至約１.５５の間の誘電率を有してもよく、それによって、第１流体１３８の配置の有無が使用者に認識されないことがある。
【００５３】
一方、本体１０５はディスプレイパネル１１０及びカバー基板１９０を受容してもよい。例示的な実施形態において、本体１０５はディスプレイパネル１１０の第１領域（Ｉ）を露出させて、ディスプレイパネル１１０の第２領域（ＩＩ）を覆うことができる。それによって、前記フレキシブルディスプレイ装置の使用者にはディスプレイパネル１１０の第１領域（Ｉ）のみが視認されることができる。
【００５４】
図３及び図４は、本発明の例示的な実施形態に係るフレキシブルディスプレイ装置の動作方法を説明するための断面図である。図３は、前記フレキシブルディスプレイ装置が繰り広げられて使用者がイメージを鑑賞するときを示す断面図であり、図４は前記フレキシブルディスプレイ装置が折りたたまれるときを示す断面図である。
【００５５】
図３を参照すると、前記フレキシブルディスプレイ装置が繰り広げられるとき、第１流体１３８は第１ポンプ１４０によって第１流体受容部１３０に移動してもよい。第１流体受容部１３０内に配置された第１流体１３８の圧力によって前記フレキシブルディスプレイ装置の表示領域（Ｉ）は平坦な状態を維持してもよい。また、第１流体１３８は第１流体受容部１３０を取り囲む第１接着層１２０に圧力を加えてもよく、第１接着層１２０と、ディスプレイパネル１１０又はカバー基板１９０との間の接着力が向上されてもよい。それによって、前記フレキシブルディスプレイ装置は十分な機械的強度を有してもよい。
【００５６】
図４を参照すると、前記フレキシブルディスプレイ装置が折りたたまれるとき、第１流体１３８は第１ポンプ１４０によって第２流体受容部１５０に移動してもよい。それによって、第１流体受容部１３０内の圧力が減少することができて、第１流体受容部１３０は前記フレキシブルディスプレイ装置が折りたたまれてディスプレイパネル１１０又は、カバー基板１９０に加えられる応力（ｓｔｒｅｓｓ）を緩和してもよい。すなわち、第１流体受容部１３０の空いている空間によって、前記フレキシブルディスプレイ装置の機械的耐久性が向上することができる。また、上述したように、第２流体受容部１５０はフォールディング軸（ｆｏｌｄｉｎｇ  ａｘｉｓ）と重ならないように配置されてもよいので、第２流体受容部１５０内の圧力が増加しても、第２流体受容部１５０は前記フレキシブルディスプレイ装置が折りたたまれることを邪魔しない。
【００５７】
第１流体受容部１３０による応力緩和効果を確認するために、下記のようなシミュレーションを実施した。
【００５８】
シミュレーション１（実施形態）では、ディスプレイパネル１１０とカバー基板１９０がそれぞれ約１００μｍの厚さを有しており、ｐｏｌｙ−ｅｔｈｙｌｅｎｅｔｅｌｅｐｈｔａｌｅｎｅ（ＰＥＴ）を含む断層フィルムで仮定した。一方、ディスプレイパネル１１０とカバー基板１９０との間は約１００μｍの距離で離隔されていて、第１流体１３８が配置された。以後、ディスプレイパネル１１０／第１流体１３８／カバー基板１９０で構成された構造体を、フォールディング軸を中心に折りたたむとき、ディスプレイパネル１１０に加えられる応力を計算した。
【００５９】
シミュレーション２（比較例）では、ディスプレイパネル１１０とカバー基板１９０がそれぞれ約１００μｍの厚さを有しており、ｐｏｌｙ−ｅｔｈｙｌｅｎｅｔｅｌｅｐｈｔａｌｅｎｅ（ＰＥＴ）を含む断層フィルムで仮定した。一方、ディスプレイパネル１１０とカバー基板１９０との間は約１００μｍの厚さを有する接着層１２０が配置された。接着層１２０はＥ＝３００ＭＰａの強度とν＝０．３の粘性を有することと仮定した。以後、ディスプレイパネル１１０／接着層１２０／カバー基板１９０で構成された構造体を、フォールディング軸を中心に折りたたむとき、ディスプレイパネル１１０に加えられる応力を計算した。
【００６０】
シミュレーションを実施した結果、前記構造体を約９０°で折りたたんだとき、シミュレーション１で計算された応力はシミュレーション２で計算された応力の約５５.４％乃至約５９.２％の間であった。一方、前記構造体を約１６０°で折りたたんだとき、シミュレーション１で計算された応力はシミュレーション２で計算された応力の約４１.９％乃至約４７.８％の間であった。すなわち、ディスプレイパネル１１０とカバー基板１９０との間に第１流体１３８が配置される場合、ディスプレイパネル１１０とカバー基板１９０の界面が分離されることによって応力が緩和されることを確認した。
【００６１】
図５は本発明の他の例示的な実施形態に係るフレキシブルディスプレイ装置を示す平面図であり、図６は本発明の例示的な実施形態に係るフレキシブルディスプレイ装置を示すために図５のＩＩＩ−ＩＩＩ’線の沿った断面図である。
【００６２】
図５及び図６を参照すると、例示的な実施形態に係るフレキシブルディスプレイ装置はディスプレイパネル１１０、タッチパネル１６０、カバー基板１９０、第１接着層１２０、第２接着層１２２、第１流体受容部１３０、第１ポンプ１４０、第２流体受容部１５０、第３流体受容部１３２、第２ポンプ１４２、第４流体受容部１５２及び本体１０５を含んでもよい。ディスプレイパネル１１０、カバー基板１９０、第１接着層１２０、第１流体受容部１３０、第１ポンプ１４０、第２流体受容部１５０及び本体１０５は図１及び図２を参照で説明した構成と実質的に同じ又は類似であってもよい。
【００６３】
タッチパネル１６０はディスプレイパネル１１０とカバー基板１９０との間に配置されてもよい。タッチパネル１６０は、例えば、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁場方式（Ｅｌｅｃｔｒｏ−Ｍａｇｎｅｔｉｃ  Ｔｙｐｅ）、ソウ方式（ＳＡＷ  Ｔｙｐｅ；Ｓｕｒｆａｃｅ  Ａｃｏｕｓｔｉｃ  Ｗａｖｅ  Ｔｙｐｅ）及び赤外線方式（Ｉｎｆｒａｒｅｄ  Ｔｙｐｅ）を有してもよい。例示的な実施形態において、タッチパネル１６０は複数の感知電極を含み、前記感知電極が周辺の他の感知電極と形成する静電容量の変化を感知する静電容量方式のタッチパネルであってもよい。タッチパネル１６０の前記感知電極及びそれに対して接続された配線は単層に配置されてもよく、２つ以上の層に区分されて配置されてもよい。
【００６４】
例示的な実施形態において、タッチパネル１６０は内部に配置された偏光フィルムを含んでもよい。すなわち、タッチパネル１６０は多層に配置された感知電極を含んでもよく、前記感知電極の間に前記偏光フィルムが配置されてもよい。
【００６５】
タッチパネル１６０が配置されることによって、第１接着層１２０、第１流体受容部１３０及び第１ポンプ１４０はディスプレイパネル１１０とタッチパネル１６０との間に配置されてもよい。また、第２接着層１２２、第３流体受容部１３２及び第２ポンプ１４２はタッチパネル１６０とカバー基板１９０との間に配置されてもよい。一方、第４流体受容部１５２はディスプレイパネル１１０の第２領域（ＩＩ）内に配置されてもよく、第２ポンプ１４２を通じて第３流体受容部１３２と接続されてもよい。すなわち、第２流体１３９は前記ディスプレイ装置の動作により第３流体受容部１３２又は、第４流体受容部１５２内に配置されてもよい。
【００６６】
前記フレキシブルディスプレイ装置を用いてイメージを鑑賞するとき、ディスプレイパネル１１０の第１領域（Ｉ）と重なる第１流体受容部１３０及び第３流体受容部１３２内にそれぞれ第１流体１３８及び第２流体１３９が配置されてもよい。一方、前記フレキシブルディスプレイ装置が折りたたまれるとき、第１流体１３８は第１ポンプ１４０によって第２流体受容部１５０に移動して、第２流体１３９は第２ポンプ１４２によって第４流体受容部１５２に移動してもよい。それによって、第１流体受容部１３０及び第３流体受容部１３２内の圧力が減少することができる。すなわち、ディスプレイパネル１１０、タッチパネル１６０及びカバー基板１９０の界面が分離できて、前記フレキシブルディスプレイ装置に印加される応力が緩和されることができる。
【００６７】
例示的な実施形態において、前記フレキシブルディスプレイ装置は第１ポンプ１４０及び第２ポンプ１４２を含んでもよい。それによって、第１流体１３８及び第２流体１３９の移動速度が向上することができる。図５及び図６において、前記フレキシブルディスプレイ装置は２個のポンプ１４０及び１４２を含むことが図示されたが、本発明はこれによって制限されない。すなわち、前記フレキシブルディスプレイ装置は３個以上のポンプも含んでもよい。
【００６８】
図７は本発明の他の例示的な実施形態に係るフレキシブルディスプレイ装置を示す断面図である。
【００６９】
図７を参照すると、例示的な実施形態に係るフレキシブルディスプレイ装置はディスプレイパネル１１０、タッチパネル１６０、カバー基板１９０、第１接着層１２０、第２接着層１２４、第１流体受容部１３０、第１ポンプ１４０、第２流体受容部１５０及び本体１０５を含んでもよい。第２接着層１２４を除くと、図５及び図６を参照で説明した構成と実質的に同じ又は類似であってもよい。
【００７０】
第２接着層１２４はタッチパネル１６０とカバー基板１９０との間に配置されてもよい。それによって、第２接着層１２４はタッチパネル１６０とカバー基板１９０を固定する役割を行うことができる。ただし、図５及び図６と異なり、第２接着層１２４内には流体受容部が配置されないこともある。
【００７１】
例示的な実施形態において、第１流体受容部１３０及び第１ポンプ１４０はタッチパネル１６０とディスプレイパネル１１０との間に配置されることで図示されたが、本発明はこれに制限されない。例えば、第１流体受容部１３０及び第１ポンプ１４０はタッチパネル１６０とカバー基板１９０との間に配置されることもできる。
【００７２】
一方、第１流体受容部１３０及び第１ポンプ１４０の位置は前記フレキシブルディスプレイ装置が折りたたまれる方向を考慮して決定されてもよい。例えば、前記フレキシブルディスプレイ装置が図４に図示された方向に折りたたまれる場合、ディスプレイパネル１１０には引張応力が印加されて、カバー基板１９０には圧縮応力が印加されうる。耐久性を考慮すれば、ディスプレイパネル１１０に加えられた引張応力の緩和が優先的に要求されうる。第１流体受容部１３０及び第１ポンプ１４０がタッチパネル１６０とカバー基板１９０との間に配置される場合と比較して、第１流体受容部１３０及び第１ポンプ１４０がタッチパネル１６０とディスプレイパネル１１０との間に配置される場合、ディスプレイパネル１１０に印加される応力を効果的に緩和しうる。
【００７３】
図８は本発明の他の例示的な実施形態に係るフレキシブルディスプレイ装置を示す平面図であり、図９は本発明の例示的な実施形態に係るフレキシブルディスプレイ装置を示すために図８のＩＩＩ−ＩＩＩ’線の沿った断面図である。
【００７４】
図８及び図９を参照すると、例示的な実施形態に係るフレキシブルディスプレイ装置は第１流体受容部１３４を除くと、図５及び図６を参照で説明した構成と実質的に同じ又は類似であってもよい。
【００７５】
ディスプレイパネル１１０は表示素子が配置される第１領域（Ｉ）と、第１領域（Ｉ）の側面を取り囲む第２領域（ＩＩ）とに区分されてもよい。
【００７６】
一方、第１領域（Ｉ）はフォールディング軸（ｆｏｌｄｉｎｇ  ａｘｉｓ）ＩＶ−ＩＶ’に隣接した第３領域（Ｖ）とフォールディング軸（ｆｏｌｄｉｎｇ  ａｘｉｓ）ＩＶ−ＩＶ’に隣接していない第４領域（ＶＩ）に区分されてもよい。第３領域（Ｖ）は前記フレキシブルディスプレイ装置が折りたたまれるとき、変形が起きて応力が加えられるフォールディング領域であり、第４領域（ＶＩ）は前記フレキシブルディスプレイ装置が折りたたまれるとき、変形が起きない平面領域であってもよい。
【００７７】
例示的な実施形態において、前記フレキシブルディスプレイ装置は一つのフォールディング軸ＩＶ−ＩＶ’とこれに対応する一つのフォールディング領域を有するように図示されたが本発明はそれに制限されない。例えば、フレキシブルディスプレイ装置はそれぞれ異なる方向に延長する複数のフォールディング軸を含めて、それに対応する複数のフォールディング領域を有してもよい。
【００７８】
例示的な実施形態において、第１流体受容部１３４はディスプレイパネル１１０の第３領域（Ｖ）に配置されてもよく、第４領域（ＶＩ）には配置されない可能性がある。また、第１流体受容部１３４は第１ポンプ１４０を通じて第２領域（ＩＩ）に配置された第２流体受容部１５０に接続されてもよい。第１流体受容部１３４は図１及び図２に図示された第１流体受容部１３０より小さい体積を有してもよく、それによって、第１流体受容部１３４及び第２流体受容部１５０の間で第１流体１３８が移動する時間が短縮されることができる。
【００７９】
例示的な実施形態において、第１流体受容部１３４は前記ディスプレイパネルが折りたたまれるとき、変形される部分に対応して配置されてもよい。それによって、第１流体受容部１３４は応力を緩和させる役割を行うことができる。
【００８０】
図１０は本発明の他の例示的な実施形態に係るフレキシブルディスプレイ装置を示す平面図である。
【００８１】
図１０を参照すると、例示的な実施形態に係るフレキシブルディスプレイ装置はディスプレイパネル１１０、タッチパネル１６０、カバー基板１９０、第１接着層１２０、第１流体受容部１３５、第１ポンプ１４０、第２流体受容部１５４、第３流体受容部１３６、第２ポンプ１４２、第４流体受容部１５６及び本体を含んでもよい。第３流体受容部１３６、第２流体受容部１５４及び第４流体受容部１５６の位置を除くと、図８及び図９を参照で説明した構成と実質的に同じ又は類似であってもよい。
【００８２】
ディスプレイパネル１１０は表示素子が配置される第１領域（Ｉ）と、第１領域（Ｉ）の側面を取り囲む第２領域（ＩＩ）とに区分されてもよく、第１領域（Ｉ）はまた、折りたたまれることによって変形が起きる第３領域（Ｖ）及び折りたたまれることによって変形が起きない第４領域（ＶＩ）に区分されてもよい。
【００８３】
例示的な実施形態において、第１流体受容部１３５及び第３流体受容部１３６はディスプレイパネル１１０の第３領域（Ｖ）に配置されてもよく、第４領域（ＶＩ）には配置されない可能性がある。また、第１流体受容部１３５及び第３流体受容部１３６はそれぞれ第２領域（ＩＩ）に配置された第１ポンプ１４０及び第２ポンプ１４２を通じて第４領域（ＶＩ）に配置された第２流体受容部１５４及び第４流体受容部１５６に接続されてもよい。
【００８４】
前記フレキシブルディスプレイが折りたたまれるとき、流体は第２流体受容部１５４及び第４流体受容部１５６内に配置されてもよい。第２流体受容部１５４及び第４流体受容部１５６は第３領域（Ｖ）と重ならないので、それらの内に流体が配置されても、前記フレキシブルディスプレイ装置が折りたたまれることを妨害しない。一方、第１流体受容部１３５及び第２流体受容部１３６は前記フレキシブルディスプレイ装置に加えられる応力を緩和してもよい。
【００８５】
図１１は本発明の他の例示的な実施形態に係るフレキシブルディスプレイ装置を示す平面図である。
【００８６】
図１１を参照すると、例示的な実施形態に係るフレキシブルディスプレイ装置は、第１流体受容部１３７の形状を除くと図１を参照で説明した構成と実質的に同じ又は類似であってもよい。
【００８７】
第１流体受容部１３７は第１方向（Ｄ１）に沿って延びたスリット状を有してもよい。それによって、第１流体受容部１３７は前記フレキシブルディスプレイ装置が巻き物のように巻かれる（ｒｏｌｌｅｄ）とき、前記フレキシブルディスプレイ装置に加えられる応力を緩和させてもよい。すなわち、前記フレキシブルディスプレイ装置は巻回型（ｒｏｌｌａｂｌｅ）フレキシブルディスプレイ装置であってもよい。
【００８８】
図１２は本発明の他の例示的な実施形態に係るフレキシブルディスプレイ装置を示す平面図であり、図１３は本発明の例示的な実施形態に係るフレキシブルディスプレイ装置を示すために図１２のＩＩＩ−ＩＩＩ’線の沿った断面図である。
【００８９】
図１２及び図１３を参照すると、例示的な実施形態に係るフレキシブルディスプレイ装置はディスプレイパネル２１０、カバー基板２９０、第１接着層２２０、第１流体受容部２３０及び本体２０５を含んでもよい。
【００９０】
ディスプレイパネル２１０は一定の柔軟性を有するフレキシブル平板ディスプレイパネルであってもよい。それによって、ディスプレイパネル２１０は使用者が加える力によって形態が変形されたり折りたたまれたりしてもよい。また、ディスプレイパネル２１０は表示領域である第１領域（Ｉ）と、第１領域（Ｉ）の側面を取り囲む第２領域（ＩＩ）とに区分されてもよい。
【００９１】
カバー基板２９０はディスプレイパネル２１０上に配置されて、ディスプレイパネル２１０の発光面を覆ってもよい。
【００９２】
第１接着層２２０はディスプレイパネル２１０とカバー基板２９０との間に配置される。一方、第１接着層２２０内の空いている空間を第１流体受容部２３０と定義することができる。すなわち、第１接着層２２０は第１流体受容部２３０を全体的に取り囲んでもよい。
【００９３】
第１流体受容部２３０はディスプレイパネル２１０とカバー基板２９０との間に配置されてもよい。例示的な実施形態において、第１流体受容部２３０は図１２に図示されたように、ディスプレイパネル２１０の第１領域（Ｉ）と全体的に重なってもよい。
【００９４】
第１流体２３８は第１流体受容部２３０内に配置されてもよい。例示的な実施形態において、第１流体２３８は機能性流体（ｓｍａｒｔ  ｆｌｕｉｄ）を含んでもよい。前記機能性流体は電気又は、磁気信号に反応して粘度が変化する流体をいう。例えば、第１流体２３８は磁性流体（ｍａｇｎｅｔｉｃ  ｆｌｕｉｄ）、磁気流動流体（Ｍａｇｎｅｔｏ−ｒｈｅｏｌｏｇｉｃａｌ  ｆｌｕｉｄ、ＭＲ  ｆｌｕｉｄ）又は、電気流動流体（Ｅｌｅｃｔｒｏ−ｒｈｅｏｌｏｇｉｃａｌ  ｆｌｕｉｄ、ＥＲ  ｆｌｕｉｄ）を含んでもよい。
【００９５】
それによって、第１流体２３８は一般的な状態において粘度が低い液体状態で存在するが、電場又は、磁場が印加される場合、粘度が高い液体状態又は、固体状態に変化してもよい。
【００９６】
前記フレキシブルディスプレイ装置が繰り広げられるとき、第１流体２３８には電場又は、磁場が印加されてもよい。それによって、第１流体２３８の粘度が増加したり、固体状態に変化したりしてもよい。結果的に、第１流体２３８は前記フレキシブルディスプレイ装置を支持することができるので、前記フレキシブルディスプレイ装置は平坦な状態を維持することができる。また、第１流体２３８は第１流体受容部２３０を取り囲む第１接着層２２０に圧力を加えて、第１接着層２２０と、ディスプレイパネル２１０又はカバー基板２９０との間の接着力が向上されてもよい。それによって、前記フレキシブルディスプレイ装置は十分な機械的強度を有してもよい。
【００９７】
反面、前記フレキシブルディスプレイ装置が折りたたまれるとき、第１流体２３８には電場又は、磁場が印加されないこともある。それによって、第１流体２３８は粘度が低い液体状態を有してもよく、前記フレキシブルディスプレイ装置を支持しない。すなわち、第１流体２３８は前記フレキシブルディスプレイ装置が折りたたまれてディスプレイパネル２１０又は、カバー基板２９０に加えられる応力（ｓｔｒｅｓｓ）を緩和してもよい。
【００９８】
一方、第１流体２３８に印加される電場又は、磁場はディスプレイパネル２１０内に配置された電極（図示せず）によって制御されてもよい。例示的な実施形態において、ディスプレイパネル２１０内に配置された画素電極又は、共通電極中で、イメージを表示するための電気的信号を伝達しない画素電極又は、共通電極が第１流体２３８に電場又は、磁場を印加してもよい。他の例示的な実施形態において、ディスプレイパネル２１０上部又は、内部に配置されたタッチパネル（図示せず）内に配置された感知電極中でタッチ動作を行わない感知電極が第１流体２３８に電場又は、磁場を印加してもよい。
【００９９】
図１４は本発明の他の例示的な実施形態に係るフレキシブルディスプレイ装置を示す断面図である。
【０１００】
図１４を参照すると、例示的な実施形態に係るフレキシブルディスプレイ装置はディスプレイパネル２１０、タッチパネル２６０、カバー基板２９０、第１接着層２２０、第２接着層２２２、第１流体受容部２３０、第２流体受容部２３２、第１流体２３８及び第２流体２３９を含んでもよい。
【０１０１】
タッチパネル２６０はディスプレイパネル２１０とカバー基板２９０との間に配置されてもよい。タッチパネル２６０が配置されることによって、第１接着層２２０、第１流体受容部２３０及び第１流体２３８はディスプレイパネル２１０とタッチパネル２６０との間に配置されてもよい。また、第２接着層２２２、第２流体受容部２３２及び第２流体２３９はタッチパネル１６０とカバー基板１９０との間に配置されてもよい。
【０１０２】
例示的な実施形態において、タッチパネル２６０内に含まれた感知電極（図示せず）は第１流体２３８又は、第２流体２３９に電場又は、磁場を印加してもよい。第１流体２３８及び第２流体２３９は機能性流体を含むので、印加された電場又は、磁場によって粘度が変化してもよい。
【０１０３】
例示的な実施形態において、前記フレキシブルディスプレイ装置は複数の流体受容部２３０及び２３２を含んでもよい。
【０１０４】
図１５は本発明の他の例示的な実施形態に係るフレキシブルディスプレイ装置を示す断面図である。
【０１０５】
図１５を参照すると、例示的な実施形態に係るフレキシブルディスプレイ装置はディスプレイパネル２１０、カバー基板２９０、第１接着層２２０、第１流体受容部２３０、本体２０５、第１電極２４０及び第２電極２５０を含んでもよい。第１電極２４０及び第２電極２５０を除くと、図１２及び図１３を参照して説明したフレキシブルディスプレイ装置と実質的に同じ又は類似であってもよい。
【０１０６】
例示的な実施形態において、第１電極２４０は第１接着層２２０とディスプレイパネル２１０との間に配置されてもよく、第２電極２５０は第１接着層２２０とカバー基板２９０との間に配置されてもよい。他の例示的な実施形態において、第１電極２４０と第２電極２５０のうち一つは省略されることもできる。
【０１０７】
第１電極２４０及び／又は第２電極２５０は、第１流体２３８に電場又は磁場を印加してもよい。前記フレキシブルディスプレイ装置が繰り広げられるとき、第１電極２４０及び／又は第２電極２５０は、第１流体２３８に電場又は磁場を印加して第１流体２３８の粘度を増加させることができる。反面、前記フレキシブルディスプレイ装置が折りたたまれるとき、第１電極２４０及び／又は第２電極２５０は、第１流体２３８に電場又は磁場を印加しないことがある。
【０１０８】
図１６は本発明の他の例示的な実施形態に係るフレキシブルディスプレイ装置を示す平面図である。前記フレキシブルディスプレイ装置は第１流体受容部２３４の形状を除くと図１２及び図１３を参照して説明したフレキシブルディスプレイ装置と実質的に同じ又は類似であってもよい。
【０１０９】
第１流体受容部２３４は前記フレキシブルディスプレイ装置のフォールディング軸ＩＶ−ＩＶ’に対応するように配置されてもよい。
【０１１０】
図１７は本発明の他の例示的な実施形態に係るフレキシブルディスプレイ装置を示す平面図である。前記フレキシブルディスプレイ装置は第１流体受容部２３７の形状を除くと図１２及び図１３を参照して説明したフレキシブルディスプレイ装置と実質的に同じ又は類似であってもよい。
【０１１１】
第１流体受容部２３７は第１方向（Ｄ１）に沿って延びたスリット状を有してもよい。それによって、第１流体受容部２３７内に配置された機能性流体は前記フレキシブルディスプレイ装置が巻き物のように巻かれる（ｒｏｌｌｅｄ）とき、前記フレキシブルディスプレイ装置に加えられる応力を緩和させることができる。すなわち、前記フレキシブルディスプレイ装置は巻回型（ｒｏｌｌａｂｌｅ）フレキシブルディスプレイ装置であってもよい。
【０１１２】
以上、本発明の望ましい実施形態に対して説明したが、本発明はこれに限定されるのではなく、特許請求の範囲、発明の詳細な説明及び添付した図面の範囲の中で様々に変形して実施することが可能であり、これらもまた本発明の範囲に属するのは当然である。
【符号の説明】
【０１１３】
１０５        本体
１１０、２１０        ディスプレイパネル
１２０、２２０        第１接着層
１２２、１２４        第２接着層
１３０、１３４、１３５、１３７、２３０        第１流体受容部
１３２、１３６        第３流体受容部
１３８、２３８        第１流体
１３９        第２流体
１４０        第１ポンプ
１４２        第２ポンプ
１５０        第２流体受容部
１５２        第４流体受容部
１６０        タッチパネル
１９０        カバー基板
【図１】
2015148799.tif 000003
【図２】
2015148799.tif 000004
【図３】
2015148799.tif 000005
【図４】
2015148799.tif 000006
【図５】
2015148799.tif 000007
【図６】
2015148799.tif 000008
【図７】
2015148799.tif 000009
【図８】
2015148799.tif 000010
【図９】
2015148799.tif 000011
【図１０】
2015148799.tif 000012
【図１１】
2015148799.tif 000013
【図１２】
2015148799.tif 000014
【図１３】
2015148799.tif 000015
【図１４】
2015148799.tif 000016
【図１５】
2015148799.tif 000017
【図１６】
2015148799.tif 000018
【図１７】
2015148799.tif 000019